(57)【要約】【課題】構成の複雑化を招くことなく、通常動作時にも監視を行うことができ、また、故障の前兆を察知することができるリレー監視装置を提供する。【解決手段】基地局２内のメカニカルリレーの動作音の集音を指示する集音要求を出し、また、この集音要求を出す場合であって、メカニカルリレーの定期的な試験的な切り替えを行わせるために、切り替え要求を出す基地局制御部２１１を有する制御基板２１と、制御基板２１の基地局制御部２１１の集音要求に基づいてマイク制御部２２３に集音指示を与え、マイク２２１による基地局２内のメカニカルリレーの切り替え音の集音を行わせ、マイク２２１における集音動作による集音データを取得して、メカニカルリレーに異常があるか否かの判別を行う判別部２２２ａを含む基板制御部２２２を有する監視基板２と、を備えている。【選択図】図１
2007300234.tif 000002
【特許請求の範囲】
【請求項１】
通信用基地局内に設けられ、機械的な切り替えを伴う制御リレーの監視を行うリレー監視装置であって、
前記制御リレーの動作音を集音可能な集音手段と、
前記集音手段で集音された動作音に基づいて前記制御リレーにおける異常の有無を判別する判別手段と、
を有することを特徴とするリレー監視装置。
【請求項２】
前記制御リレーは定期的に切り替え制御が行われ、
前記制御リレーの切り替えタイミングに合わせて前記集音手段で集音させる制御手段を有する
ことを特徴とする請求項１記載のリレー監視装置。
【請求項３】
前記制御リレーに対する動作試験を行う試験要求を受けると、所定のタイミングで前記制御リレーの切り替え動作を行わせ、当該タイミングに合わせて前記集音手段で集音させる制御手段を有する
ことを特徴とする請求項１または２記載のリレー監視装置。
【請求項４】
前記判別手段は、あらかじめ取得としたサンプルデータと前記集音手段で集音した集音データとを比較して、前記制御リレーにおける異常の有無を判別する
ことを特徴とする請求項１から３のいずれか一に記載のリレー監視装置。
【請求項５】
前記制御リレーの切り替え音帯域の信号を抽出するフィルタを有し、
前記判別手段は、前記フィルタを通過した集音データに基づいて判別処理を行う
ことを特徴とする請求項１から４のいずれか一に記載のリレー監視装置。
【請求項６】
前記基地局は遠隔の監視局と通信可能であり、
前記判別手段は、基地局内に配置され、判別結果伴う集音に関する情報として前記監視局に送信する
ことを特徴とする請求項１から５のいずれか一に記載のリレー監視装置。
【請求項７】
前記基地局は遠隔の監視局と通信可能であり、
前記判別手段は、前記監視局に配置され、
前記基地局は、集音データを前記監視局に送信する
ことを特徴とする請求項１から５のいずれか一に記載のリレー監視装置。
【請求項８】
前記監視局は、記憶装置を有し、上記判別手段の判別結果に伴う集音に関する情報をデータベース化する
ことを特徴とする請求項６または７記載のリレー監視装置。
【発明の詳細な説明】
【技術分野】
【０００１】
本発明は、通信ネットワークの基地局に装備される制御リレーの状態を監視するリレー監視装置に関するものである。
【背景技術】
【０００２】
無線通信ネットワークを形成する基地局は、部品の故障等により機能停止をきたさないことが重要な要件として求められている。したがって、基地局において何らかの異常が生じた場合には直ちに検出し、修理等の対応を行うことが重要である。
【０００３】
基地局に使用される部品の中で、基地局の重要な部品として制御リレーがある。
制御リレーはいわゆるメカニカルリレーにより構成されており、基地局内部と外部との電気的な結合をすることなく信号の伝達に使用されが、構造上、機械的と電気的との２つの故障系を持つ部品でもある。
【０００４】
この種の制御リレーの監視技術が特許文献１に開示されている。
特許文献１に開示された監視制御装置は、動作状態時と停止状態時とでスイッチ部を切り替え、動作状態時に動作電源の電圧を動作リレーに供給する制御リレーと、スイッチ部に動作電源の電圧と制御電源の電圧とを切り替えさせる共通リレーと、制御リレーを動作状態にする前に、共通リレーによって制御電源の電圧を制御リレーのスイッチ部を介して供給された制御電源の電圧を検出することによって制御リレーの異常の有無を確認する故障検出手段と、を有する。
【特許文献１】実開平５−９１０８６号公報
【発明の開示】
【発明が解決しようとする課題】
【０００５】
しかしながら、特許文献１に開示された技術では、動作状態時と停止状態時とをスイッチ部で切り替える必要があり、構成の複雑化を招くことはもとより、試験期間を必要とすることから通常の動作中に制御リレーの動作状態を監視（確認）することが困難である。
また、電気的な故障を確認できるものの、リレーの微妙な機械的な動きが故障につながる等、故障の前兆を察知し、早期検出を行うことは困難である。
【０００６】
本発明の目的は、構成の複雑化を招くことなく、通常動作時にも監視を行うことができ、また、故障の前兆を察知することができるリレー監視装置を提供することにある。
【課題を解決するための手段】
【０００７】
本発明の観点は、通信用基地局内に設けられ、機械的な切り替えを伴う制御リレーの監視を行うリレー監視装置であって、前記制御リレーの動作音を集音可能な集音手段と、前記集音手段で集音された動作音に基づいて前記制御リレーにおける異常の有無を判別する判別手段と、を有する。
【０００８】
好適には、前記制御リレーは定期的に切り替え制御が行われ、前記制御リレーの切り替えタイミングに合わせて前記集音手段で集音させる制御手段を有する。
【０００９】
好適には、前記制御リレーに対する動作試験を行う試験要求を受けると、所定のタイミングで前記制御リレーの切り替え動作を行わせ、当該タイミングに合わせて前記集音手段で集音させる制御手段を有する。
【００１０】
好適には、上記判別手段は、あらかじめ取得としたサンプルデータと前記集音手段で集音した集音データとを比較して、前記制御リレーにおける異常の有無を判別する。
【００１１】
好適には、前記制御リレーの切り替え音帯域の信号を抽出するフィルタを有し、前記判別手段は、前記フィルタを通過した集音データに基づいて判別処理を行う。
【００１２】
好適には、前記基地局は遠隔の監視局と通信可能であり、前記判別手段は、基地局内に配置され、判別結果伴う集音に関する情報として前記監視局に送信する。
【００１３】
好適には、前記基地局は遠隔の監視局と通信可能であり、前記判別手段は、前記監視局に配置され、前記基地局は、集音データを前記監視局に送信する。
【００１４】
好適には、前記監視局は、記憶装置を有し、上記判別手段の判別結果に伴う集音に関する情報をデータベース化する。
【発明の効果】
【００１５】
本発明によれば、構成の複雑化を招くことなく、通常動作時にも監視を行うことができ、また、故障の前兆を察知することができる。
【発明を実施するための最良の形態】
【００１６】
以下、本発明の実施形態を添付図面に関連付けて説明する。
【００１７】
図１は、本発明の第１の実施形態に係るリレー監視装置を採用した遠隔監視システムのブロック構成図である。
【００１８】
本遠隔監視システム１は、図１に示すように、基地局２、およびこの基地局２と離れた遠隔地に配置されたセンター局(監視局)３により構成されている。
【００１９】
基地局２は、制御基板２１、監視基板２２、通信基板２３、およびバックプレーン２４を有している。
なお、図１には省略しているが、基地局２は、携帯電話の基地局として必要な他の構成（たとえばアンテナや上位局との通信機能）およびセンター局３との通話を可能とする構成を有している。
【００２０】
制御基板２１は基地局制御部２１１を有している。
基地局制御部２１１は、基地局２全体の動作を制御する主制御部として機能し、たとえば監視基板２２に搭載される制御系に対して定期的に基地局２内の音（本実施形態においては制御リレーの動作音）の集音を指示する集音要求を与える。
また、基地局制御部２１１は、この集音要求を出す場合であって、制御リレー(メカニカルリレー)の定期的に試験的な切り替えを行わせるために、切り替え要求を通信基板２３に搭載される制御系に対して与える。
【００２１】
監視基板２２は、マイクロフォン(以下、単にマイクという)２２１、基板制御部２２２、およびマイク制御部２２３を有している。
マイク２２１は、メカニカルリレー(制御リレー)の動作音、すなわち、機械的な切り替え音を集音可能な所定の位置に配置されている。マイク２２１は、マイク制御部２２３の制御の下で集音動作を行い、集音データをマイク制御部２２３に出力する。
基板制御部２２２は、制御基板２１の基地局制御部２１１の集音要求に基づいてマイク制御部２２３に集音指示を与え、マイク２２１による基地局２内の音（本実施形態においては制御リレーの動作音）の集音を行わせる。
マイク制御部２２３は、基板制御部２２２からの集音指示に基づいてマイク２２１を制御し、マイク２２１における集音動作による集音データを取得して基板制御部２２２に供給する。
【００２２】
本第１の実施形態においては、監視基板２２の基板制御部２２２が判別部２２２ａの機能を含み、マイク２２１で集音されたマイク制御部２２３により供給される集音データ基づいて通信基板２３に搭載されている制御リレー（メカニカルリレー）における異常の有無を判別する。
具体的な判別処理については、後で詳述する。
【００２３】
図２は、第１の実施形態に係る集音およびその判別結果の通知システムを模式的に示す図である。
【００２４】
すなわち、本第１の実施形態においては、図２に示すように、制御基板２１の基地局制御部２１１による集音要求を受けた監視基板２２の基板制御部２２２が集音データに基づいて正常異常を判別して、制御基板２１の基地局制御２１１を介してセンター局３に正常か異常であるかを集音データ等ともに集音に関する情報として通知する。
【００２５】
通信基板２３は、監視対象のメカニカルリレー２３１、および基板制御部２３２を有している。
【００２６】
メカニカルリレー２３１は、たとえば基板制御部２３２の制御の下、機械的に切り替えを行って信号伝達ラインを制御する制御リレーであって、基地局２内部と外部との電気的な結合をすることなく信号の伝達に使用される。
メカニカルリレー２３１は、構造上、開閉時に音を発生することから、開閉時の切り替え音が検出されるか否かによって、あるいは集音した切り替え音によって、異常の有無を確認することが可能である。そこで、本実施形態においては、マイク２２１をメカニカルリレー２３１の切り替え音を集音可能な位置に配置し（本実施形態では一例として監視基板２２に搭載）、通常動作時にも監視を行うことができ、また、故障の前兆を察知することができるように構成されている。
【００２７】
通信基板２３は、たとえば制御基板２１の基地局制御部２１１の制御の下、メカニカルリレー２３１の切り替え制御を行って、外部との信号伝達ラインの制御を行う。
また、通信基板２３は、基地局制御部２１１が、監視基板２２に集音要求を出す場合であって、メカニカルリレー２３１の定期的な試験的な切り替えを指示する切り替え要求を受けると、メカニカルリレー２３１の開閉制御を行って、切り替え音のマイク２２１による試験的な集音を行わせる。
【００２８】
バックプレーン２４は、基地局２の主制御部となる制御基板２１、監視基板２２、メカニカルリレー２３１を搭載した通信基板２３、および基地局２を遠隔地で監視するセンター局３を相互接続する配線基板である。
【００２９】
なお、図１においては、制御基板２１、監視基板２２、メカニカルリレー２３１を搭載した通信基板２３のみを示しているが、基地局２には、その他に各種機能ごとに設計された基板も存在する。そして、各基板はラックに搭載され、バックプレーン２４で接続される。
図１に示す構成は一例であり、通信基板に対応するものとしてメカニカルリレーを搭載した基板全てを対象とできるため、制御基板や監視基板自身が監視対象となることもあり得る。また、マイク制御部は監視基板に搭載されているが、制御基板に搭載しても良い。
【００３０】
以下に、本実施形態におけるメカニカルリレーの異常の有無の監視方法、および判別部における判別処理について説明する。
【００３１】
メカニカルリレー２３１の異常の有無の監視は、たとえば次の方法で行うことが可能である。
【００３２】
（１）運用時の制御により定期的にメカニカルリレーの開閉が切り替わる場合には、定期的な切り替えのタイミングで、制御基板２１に搭載された基地局制御部２１１が集音要求を監視基板２２の基板制御部２２２に送出する。
これにより、基板制御部２２２から、制御基板２１の基地局制御部２１１の集音要求に基づいてマイク制御部２２３に集音指示が出され、マイク２２１による基地局２内のメカニカルリレー２３１の切り替え音の集音を行われる。
マイク２２１による集音データはマイク制御部２２３に入力され、さらに基板制御部２２２に供給される。
この方法によれば、動作音によってメカニカルリレーの異常を監視することから、試験用の切り替えのためのスイッチ部等が不要で、構成の複雑化を招くことなく、通常動作時にも監視を行うことができ、また、故障の前兆を察知することができる。
【００３３】
（２）メカニカルリレーの制御に特別の制限がない場合には、試験的な切り替えを行うために、制御基板２１に搭載された基地局制御部２１１が切り替え要求を通信基板２３の基板制御部２３２に送出する。これにより、メカニカルリレー２３１の試験的な切り替えが行われる。
また、試験的な切り替えのタイミングに合わせて集音できるようなタイミングで、制御基板２１に搭載された基地局制御部２１１が集音要求を監視基板２２の基板制御部２２２に送出する。
これにより、基板制御部２２２から、制御基板２１の基地局制御部２１１の集音要求に基づいてマイク制御部２２３に集音指示が出され、マイク２２１による基地局２内のメカニカルリレー２３１の試験的な切り替え音の集音を行われる。
マイク２２１による集音データはマイク制御部２２３に入力され、さらに基板制御部２２２に供給される。
【００３４】
（３）上記の（１）および（２）の方法とは別に、メカニカルリレーの関係するブロックの不具合、たとえば基地局側との通信障害が発生したときに、メカニカルリレー２３１の故障であるかどうかを確認するために、試験的な切り替えを行う。
この場合、たとえばセンター局３等から試験要求が出される。この試験要求を受けた制御基板２１に搭載された基地局制御部２１１が切り替え要求を通信基板２３の基板制御部２３２に送出する。これにより、メカニカルリレー２３１の試験的な切り替えが行われる。
また、試験的な切り替えのタイミングに合わせて集音できるようなタイミングで、制御基板２１に搭載された基地局制御部２１１が集音要求を監視基板２２の基板制御部２２２に送出する。
これにより、基板制御部２２２から、制御基板２１の基地局制御部２１１の集音要求に基づいてマイク制御部２２３に集音指示が出され、マイク２２１による基地局２内のメカニカルリレー２３１の試験的な切り替え音の集音を行われる。
マイク２２１による集音データはマイク制御部２２３に入力され、さらに基板制御部２２２に供給される。
【００３５】
また、上記（１）〜（３）の検出方法を適宜組み合わせることも可能である。
【００３６】
次に、判別部における判別処理について説明する。
【００３７】
定期的または試験的に切り替えを行った場合に、メカニカルリレー２３１が作動せずに、マイク２２１により切り替え音を集音できない場合には、集音データに切り替え音が含まれていないことから、判別部２２２ａは直ちにメカニカルリレー２３１に故障が生じているとして判別する。
【００３８】
このような完全な故障の場合の他に、経時変化や周辺の環境の変化等により、正常な切り替え動作時の切り替え音と異なる切り替え音を発するような場合がある。
このような場合には、メカニカルリレー２３１が異常となる前兆のようなものであることから、あらかじめ取得しておいたサンプルデータと比較することにより、メカニカルリレー２３１の異常を早期に検出することが可能となる。
このあらかじめ取得するサンプルデータは、たとえば正常な切り替え動作を行ったときの正常時サンプルデータ、あるいは異常な切り替え動作を行ったときの異常時サンプルデータとして保持することが可能である。勿論、メカニカルリレーが故障して切り替え音がない場合にもサンプルデータと異なることから異常として判別することができる。
【００３９】
＜正常時サンプルデータによる判別＞
正常状態の基地局２内に設置された監視対象のメカニカルリレー２３１あるいは実際に設置するメカニカルリレーと等価な機能を有するメカニカルリレーの切り替え音をあらかじめ集音しておき、基板制御部２２２の判別部２２２ａは、上述した監視方法に従ってマイク２２１から取り込んだ集音データに含まれる音と比較する。
そして、取得した音データが正常時サンプルデータの許容範囲内にない場合には、判別部２２２ａはメカニカルリレーが異常をきたしているものとして判別し、たとえば制御基板２１の基地局制御部２１１を介してセンター局３に通知する。
この判別結果の通知処理においては、判別部２２２ａの含む基板制御部２２２は正常音または異常音として判別された集音データやその集音日時等を、集音に関する情報として送信する。
そして、センター局３においては、受信した集音データを含む集音に関する情報をたとえば記憶装置３１に格納してデータベース化する。センター局３側でこの現場の実際の音を再現することにより、メカニカルリレー２３１の切り替え時の動作状態をある程度推定することが可能になり、遠隔地においても原因に切り分けを行うことが可能となり、迅速かつ的確な対応を行うことができる。
なお、基地局２自体に記憶装置を設けてデータベース化してもよい。この場合、保守員等が現場で実際の音を再現することにより、メカニカルリレー２３１の切り替え時の動作状態をある程度推定することが可能になり、迅速から的確な対応を行うことができる。
【００４０】
＜異常時サンプルデータによる判別＞
正常状態の基地局２内に設置された監視対象のメカニカルリレー２３１等価な機能を有する劣化したメカニカルリレーの切り替え音をあらかじめ集音しておき、基板制御部２２２の判別部２２２ａは、上述した監視方法に従ってマイク２２１から取り込んだ集音データに含まれる音と比較する。
この場合、判別部２２２ａは、異常音が発生しているか否かに加え、異常音がメカニカルリレーの劣化によるものか否かを判別することができる。
この判別結果の通知処理においては、正常時サンプルデータによる判別の場合と同様に行われる。
【００４１】
なお、基地局２内においては、メカニカルリレーの他にも、冷却ファン等、音を発するものがあるため、判別部２２２ａを含む集音機能部においてメカニカルリレーの切り換え音に相当する周波数でフィルタリングすることで、切り替え音の異常の有無の検出精度を向上させることが可能となる。
【００４２】
なお、正常時サンプルデータと異常時サンプルデータとの両サンプルデータを用いた判別処理も可能である。
【００４３】
以上説明したように、本第１の実施形態によれば、基地局２内のメカニカルリレーの動作音の集音を指示する集音要求を出し、また、この集音要求を出す場合であって、メカニカルリレーの定期的な試験的な切り替えを行わせるために、切り替え要求を出す基地局制御部２１１を有する制御基板２１と、制御基板２１の基地局制御部２１１の集音要求に基づいてマイク制御部２２３に集音指示を与え、マイク２２１による基地局２内のメカニカルリレーの切り替え音の集音を行わせ、マイク２２１における集音動作による集音データを取得して、メカニカルリレーに異常があるか否かの判別を行う判別部２２２ａを含む基板制御部２２２を有する監視基板２２と、制御基板２１の基地局制御部２１１の制御の下、メカニカルリレー２３１の切り替え制御を行って、外部との信号伝達ラインの制御を行い、メカニカルリレー２３１の定期的な試験的な切り替えを指示する切り替え要求を受けると、メカニカルリレー２３１の開閉制御を行って、切り替え音のマイク２２１による試験的な集音を行わせる基板制御部２３２を有する通信基板２３と、を備えていることから、試験用の切り替えのためのスイッチ部等が不要で、構成の複雑化を招くことなく、通常動作時にも監視を行うことができ、また、故障の前兆を察知することができる。
【００４４】
また、判別部２２２ａの含む基板制御部２２２は正常音または異常音として判別された集音データやその集音日時等を送信し、センター局３または基地局２内においては、受信した集音データを含む集音に関する情報をたとえば記憶装置に格納してデータベース化するので、遠隔のセンター局３側あるいは保守点検を行う現場である基地局内の実際の音を再現することにより、メカニカルリレー２３１の切り替え時の動作状態をある程度推定することが可能になり、遠隔地においても、あるいは、保守点検の現場において原因に切り分けを行うことが可能となり、迅速かつ的確な対応を行うことができる。
【００４５】
図３は、本発明の第２の実施形態に係るリレー監視装置を採用した遠隔監視システムのブロック構成図である。
【００４６】
本第２の実施形態が上述した第１の実施形態と異なる点は、判別部を監視基板２２の基板制御部２２２に設ける代わりに、制御基板２１の基地局制御部２１１に設けたことにある。
【００４７】
図４は、第２の実施形態に係る集音およびその判別結果の通知システムを模式的に示す図である。
【００４８】
本第２の実施形態においては、図４に示すように、制御基板２１の基地局制御部２１１による集音要求を受けた監視基板２２の基板制御部２２２が集音データを制御基板２１の基地局制御部２１１に転送し、基地局制御部２１１の判別部２１１ａが集音データに基づいてメカニカルリレー２３１の正常異常を判別して、基地局制御２１１がセンター局３に正常か異常であるかを集音データ等とともに集音に関する情報として通知する。
【００４９】
本第２の実施形態によれば、上述した第１の実施形態に効果と同様の効果を得ることができる。
【００５０】
図５は、本発明の第３の実施形態に係るリレー監視装置を採用した遠隔監視システムのブロック構成図である。
【００５１】
本第４の実施形態が上述した第１および第２の実施形態と異なる点は、判別部を基地局２内の監視基板２２や制御基板２１に設ける代わりに、センター局３Ｂ側に設けたことにある。
【００５２】
図６は、第３の実施形態に係る集音およびその判別結果の通知システムを模式的に示す図である。
【００５３】
本第３の実施形態においては、図６に示すように、制御基板２１の基地局制御部２１１による集音要求を受けた監視基板２２の基板制御部２２２が集音データを制御基板２１の基地局制御部２１１に転送し、基地局制御部２１１が集音データをセンター局３Ｂに送信する。そして、センター局３Ｂに設けられた判別部３ａが集音結果に基づいてメカニカルリレー２３１の正常異常を判別して、正常か異常であるかを集音データ等とともに集音に関する情報として記憶装置３１に格納してデータベース化する。
【００５４】
本第３の実施形態によれば、上述した第１および第２の実施形態に効果と同様の効果を得ることができることはもとより、複数の基地局が存在する通信システムにおいて、統括的な監視および管理を行うことが可能となる利点がある。
【００５５】
以上説明したように、メカニカルリレーに異常の有無を判別する判別部は、基地局内の制御基板２１や監視基板２２に持たせても良いし、センター局側に持たせても良い。
すなわち、集音データを判別部まで転送し、判別部にて切り替え音の有無、異常を検出し、その結果を集音に関する情報として、所定の管理機能を有する場所（たとえばセンター局）に通知できれば良い。
【００５６】
たとえば、判別部における判別時に切り替え音のサンプルデータを使用する場合、全基地局で共通のデータを使用できる場合には、センター局にデータベースと判別部を持たせた方が、監視および管理を効率良く行うことができる。
一方、基地局設置環境の他の音の影響等で、各基地局で個別のデータベースが必要となる場合には、基地局内に判別部とデータベースを持たせた方が、監視および管理を効率良く行うことができる。
【００５７】
ところで、基地局の制御技術の一つとして、基地局の中に試験用擬似端末を内蔵し、上述したセンター局３のように基地局から離れた場所から無線部の監視や試験を行う技術がある。
【００５８】
図７は、試験用擬似端末を内蔵した基地局の構成を模式的に示す図である。
【００５９】
図７の基地局４は、基地局４全体の動作を制御する基地局主制御部４１、基地局主制御部４１の無線部と接続されたアンテナ４２、および基地局制御部４１とアンテナ４２の間に有線接続された試験用擬似端末４３を有している。
【００６０】
試験用擬似端末４３は、ＵＡＲＴ(Universal Asynchronous Receiver/Transmitter(万能非同期送受信機)やＵＳＢ(Universal Serial Bus(ユニバーサル・シリアル・バス))等のインタフェースを搭載しており、そのインタフェースを介して基地局主制御部４１から試験要求の受信や基地局主制御部４１への結果応答の送信を行う。
ただし、試験用擬似端末４３は、基地局４付近に設けられ、基地局制御部４１とアンテナ４２の間は有線接続されるが、基地局主制御部４１との通信は無線で行う場合もある。
【００６１】
このような構成において、試験用擬似端末４３は、基地局主制御部４１からの試験要求に応じて図中の無線部試験経路を介入する送受信動作の試験（たとえば発呼や着呼の試験等）を行う。
そして、その試験結果を結果応答として基地局主制御部４１が受け取ることにより、アンテナ入出力端における無線部の動作が正常であるかどうかの確認を行うことができるようになっている。
【００６２】
たとえば、１ｘＥＶ−ＤＯ(1x Evolution Data Only)によるデータ通信ネットワークの基地局は、試験用擬似端末４３に相当するＴＡＴ(Test Access Terminal(擬似端末機能))基板を備えており、上記基地局４の一例に当たる。
その基地局では、いかなる試験を行うかをＴＡＴ基板と基地局主制御部との間で制御しつつ、無線部の監視や試験を行う。たとえば、無線部から外部へと出力される信号をＴＡＴ基板上のＡＴ(Access Terminal)に入力し、ＡＴの移動端末としての機能によって無線部の試験を行う。
【００６３】
本実施形態における遠隔監視システム１（１Ａ，１Ｂ）は、基地局２（２Ａ，２Ｂ）内にマイク２２１を設置することによりメカニカルリレー２３１の動作音を監視するように構成されているが、この構成は試験用擬似端末を内蔵する基地局に関して容易に実施することが可能である。
すなわち、基地局に内蔵される試験用擬似端末は、発着呼等の無線部の監視試験を行うことができればよいため、通常はごく限られた基本機能しか備えておらず、他の機能を備える必要性がない。
しかし、移動端末は、近年の携帯電話機等に見られるようにカメラやマイク、スピーカ、加速度センサ等の様々な機能が搭載されたものが一般に普及しており、高機能かつ高性能なものになっている。
ＴＡＴ基板等の試験用擬似端末では、このような機能は不要なものとして削除されているだけであることから、それを削除せずに搭載することは近年の移動端末の技術を利用すれば容易であり、上記監視基板２２のようにマイクによる集音機能を備えた基板を容易に構成することができる。
したがって、試験用擬似端末を内蔵する基地局にあっては、基地局内の音を記録する集音機能システムを試験用擬似端末に搭載することにより、一般的に機能上不要として削除されていた機能を有効に活用してメカニカルリレーの異常の有無を監視する上述した遠隔監視を実施することができる。
【００６４】
具体的には、監視基板２２において、マイク制御部２２３に相当するものとして試験用擬似端末の機能を担う移動端末機能部を搭載する。
この移動端末機能部は、携帯電話機等が備えているマイクによる集音機能を有するものとし、その集音機能部を上記マイク２２１に相当するものとしてメカニカルリレーの動作音を検出可能な所定の位置に配置する。
これにより、試験用擬似端末を利用して遠隔監視システムの構成を実現することができ、上記したと同様に基地局内の音を集音して遠隔のセンター局等でメカニカルリレーの状態を監視することが可能となり、異常に対して迅速な対応を図ることができる。
通常、マイクを含む集音機能部を搭載した試験用擬似端末は必要とはならないが、その集音機能を活用して基地局内の音を監視することにより、メカニカルリレーの異常を早期かつ的確に判別することが可能な監視装置を実現することができる。
【００６５】
なお、本実施形態の遠隔監視システムにおいて、基地局に複数のメカニカルリレーが設けられる場合には、それらのメカニカルリレーの動作音を基地局の複数の場所で集音する外部ステレオマイクを上述のマイクとして設けるように構成することも可能である。
この外部ステレオマイクによれば、各場所で集音された音から異常が発生したメカニカルリレーの位置を特定することができる。
【００６６】
また、本実施形態の遠隔監視システムは、動作音によってメカニカルリレーの異常を監視することから、試験用の切り替えのためのスイッチ部等が不要で、構成の複雑化を招くことなく、通常動作時にも監視を行うことができ、また、故障の前兆を察知することができる。
メカニカルリレーは、制御端子と出力端子の絶縁を目的として使用することが多いため、制御側から直接見ることは難しい場合もあり、出力先からの情報にて正常性を判断することとなるが、本発明により、制御側でもメカニカルリレーの故障に関しては確認することができる。
【図面の簡単な説明】
【００６７】
【図１】本発明の第１の実施形態に係るリレー監視装置を採用した遠隔監視システムのブロック構成図である。
【図２】第１の実施形態に係る集音およびその判別結果の通知システムを模式的に示す図である。
【図３】本発明の第２の実施形態に係るリレー監視装置を採用した遠隔監視システムのブロック構成図である。
【図４】第２の実施形態に係る集音およびその判別結果の通知システムを模式的に示す図である。
【図５】本発明の第３の実施形態に係るリレー監視装置を採用した遠隔監視システムのブロック構成図である。
【図６】第３の実施形態に係る集音およびその判別結果の通知システムを模式的に示す図である。
【図７】試験用擬似端末を内蔵した基地局の構成を模式的に示す図である。
【符号の説明】
【００６８】
１，１Ａ，１Ｂ・・・遠隔監視システム、２，２Ａ，２Ｂ，４・・・基地局、２１・・・制御基板、２１１・・・基地局制御部、２２・・・監視基板、２２１・・・マイクロフォン(マイク)、２２２・・・基板制御部、２２３・・・マイク制御部、２３・・・通信基板、２３１・・・メカニカルリレー（制御リレー）、２３２・・・基板制御部、２４・・・バックプレーン、３・・・センター局(監視局)。
【図１】
2007300234.tif 000003
【図２】
2007300234.tif 000004
【図３】
2007300234.tif 000005
【図４】
2007300234.tif 000006
【図５】
2007300234.tif 000007
【図６】
2007300234.tif 000008
【図７】
2007300234.tif 000009